(57)【要約】【課題】磁気インク文字で記録された媒体を再生する情報読取装置であって、情報読取装置毎の固体差について考慮した情報読取装置及びその制御方法を提供する。【解決手段】参照用に使用する標準の磁気インク文字が印字された参照用媒体を参照用情報読取装置で読み取って得られた参照磁気波形と参照用媒体を前記読取機構で読み取った際の実磁気波形とを比較して得られる誤差に基づいて演算した補正値を使用し、実際の磁気インク文字印字媒体の読み取り時には、読取機構で読み取った際の磁気波形を補正する補正処理部で補正処理した磁気波形に基づいて、媒体に印字された実際の磁気インク文字を解読する。【選択図】図５
2010026644.tif 000002
【特許請求の範囲】
【請求項１】
磁気インク文字が印字された媒体を搬送する媒体搬送部と、
前記媒体に印字されている磁気インク文字を磁気波形として読み取る読取機構と、
参照用の磁気インク文字が印字された参照用媒体を参照用情報読取装置で読み取って得られた参照磁気波形と前記参照用媒体を前記読取機構で読み取った際の実磁気波形とを比較して得られる誤差に基づいて演算した補正値を、該情報読取装置固有の補正値として記憶する補正値記憶部と、
実際の磁気インク文字が印字された印字媒体の読み取り時には、前記補正値を使用して、前記読取機構で読み取った際に得られる磁気波形を補正する補正処理部と、
この補正処理部で補正処理した磁気波形に基づいて、媒体に印字された実際の磁気インク文字を解読する解読部と
を備えたことを特徴とする情報読取装置。
【請求項２】
磁気インク文字が印字された媒体を搬送する媒体搬送部と、
前記媒体に印字されている磁気インク文字を磁気波形として読み取る読取機構と、
参照用の磁気インク文字が印字された参照用媒体を参照用情報読取装置で読み取って得られた参照磁気波形を記憶する参照磁気波形記憶部と、
この参照用媒体を読み取った際の実磁気波形を記憶する実磁気波形記憶部と、
参照磁気波形と実磁気波形とを比較して得られる誤差に基づいて演算した補正値を、この情報読取装置固有の補正値として記憶する補正値記憶部と、
実際の磁気インク文字が印字された印字媒体の読み取り時には、前記補正値を使用して、読み取った際の磁気波形を補正する補正処理部と、
この補正処理部で補正処理した磁気波形に基づいて、媒体に印字された実際の磁気インク文字を解読する解読部と
を備えたことを特徴とする情報読取装置。
【請求項３】
前記読み取った磁気波形を増幅する増幅部と、増幅された磁気波形をＡ／Ｄ変換するＡ／Ｄコンバータを備えていることを特徴とする請求項１または２記載の情報読取装置。
【請求項４】
前記補正値は、複数回、参照用媒体を読み取って、決定したものであることを特徴とする請求項１または２記載の情報読取装置。
【請求項５】
前記補正値は、参照用媒体を、３乃至５回繰り返し読み取って、決定したものであることを特徴とする請求項４記載の情報読取装置。
【請求項６】
前記誤差は、読み取った磁気波形の時間軸方向のズレであることを特徴とする請求項１または２記載の情報読取装置。
【請求項７】
前記Ａ／Ｄコンバータでは、前記読み取った磁気波形に表われる磁界の変動を１０ビットで表現した信号波形に変換することを特徴とする請求項３記載の情報読取装置。
【請求項８】
前記誤差は、該情報読取装置の前記媒体搬送部に配設される搬送ローラの真円度のバラツキや駆動モータの１回転時の前記媒体の進行量のバラツキに伴って、前記参照用情報読取装置の前記媒体搬送部と比した遅延あるいは進み過ぎによるものであることを特徴とする請求項１または２記載の情報読取装置。
【請求項９】
参照用の磁気インク文字が印字された参照用媒体を参照用情報読取装置で読み取って得られた参照磁気波形と前記参照用媒体を前記読取機構で読み取った際の実磁気波形とを比較して得られる誤差を、当該情報読取装置固有の補正値として記憶し、
実際の磁気インク文字印字媒体の読み取り時には、前記補正値を使用して、前記読取機構で読み取った際の磁気波形を補正し、
前記補正処理した磁気波形に基づいて、媒体に印字された実際の磁気インク文字を解読することを特徴とする情報読取装置の制御方法。
【請求項１０】
前記補正値は、複数回、参照用媒体を読み取って、決定することを特徴とする請求項９記載の情報読取装置の制御方法。
【請求項１１】
請求項１乃至８のいずれか１項記載の情報読取装置を備えたことを特徴とするプリンタ。
【発明の詳細な説明】
【技術分野】
【０００１】
本発明は、情報読取装置及びその制御方法に係り、特に記録媒体に磁気インクで記載された情報を再生する装置及びその制御方法、その情報読取装置を備えたプリンタに関するものである。
【背景技術】
【０００２】
商取引や店舗での買い物には、小切手が広く用いられている。一般に、小切手の表面には金額やサインが記載されている他、銀行番号、口座番号等の必要記載事項の一部や小切手番号等の規格化された情報が、磁気インク文字(ＭＩＣＲ（Magnetic Ink Character Recognition）文字ともいう)によって所定の位置に記載されている。磁気インクの有無は、磁気ヘッドによって検出され、磁気インク文字を読み取って記載事項を抽出する磁気インク文字読み取り装置（ＭＩＣＲ：Magnetic Ink Character Reader）が開発されている。店舗等においては、小切手等有価証券を受け取ったオペレータは、そのようなＭＩＣＲの読取装置によって磁気インクを検出し、記載事項を読み取って小切手の有効性を確認した後、印字装置を用いて認証や受け取り店舗の名称等の小切手への裏書き事項を印刷する処理を行っている。
【０００３】
最近では、磁気インク文字の読み取り及び裏書き印字を単一の搬送経路上に配置した磁気ヘッド及び印字ヘッドを用いてシーケンシャルに処理することができる装置が提案されている（例えば、特許文献１参照。）。
【特許文献１】特開平１０−８３４３８号公報
【発明の開示】
【発明が解決しようとする課題】
【０００４】
上記した特許文献１に開示された従来技術でＭＩＣＲ文字を読み取った場合、読み取り装置に搬送系の誤差が生じた場合には、ＭＩＣＲ文字読み取り時の記録媒体の搬送に伴う誤差について、補正手段は設けられていなかった。そのため、ＭＩＣＲ記録媒体に記録されたＭＩＣＲ文字を再生して、文字を読み取る際、読み取りが適切に行われないことがあった。
【０００５】
そこで、本発明は、上記問題点を解決するために、個々の再生装置毎の搬送系の固体差について考慮することにより、再生装置としての読み取り精度の向上を実現できる情報読取装置及びその制御方法を提供することを目的とする。
【課題を解決するための手段】
【０００６】
本発明の一態様によれば、磁気インク文字が印字された媒体を搬送する媒体搬送部と、前記媒体に印字されている磁気インク文字を磁気波形として読み取る読取機構と、参照用の磁気インク文字が印字された参照用媒体を参照用情報読取装置で読み取って得られた参照磁気波形と前記参照用媒体を前記読取機構で読み取った際の実磁気波形とを比較して得られる誤差に基づいて演算した補正値を、該情報読取装置固有の補正値として記憶する補正値記憶部と、実際の磁気インク文字が印字された印字媒体の読み取り時には、前記補正値を使用して、前記読取機構で読み取った際に得られる磁気波形を補正する補正処理部と、この補正処理部で補正処理した磁気波形に基づいて、媒体に印字された実際の磁気インク文字を解読する解読部とを備えたことを特徴とする情報読取装置が提供される。
【０００７】
また、本発明の別の一態様によれば、磁気インク文字が印字された媒体を搬送する媒体搬送部と、前記媒体に印字されている磁気インク文字を磁気波形として読み取る読取機構と、参照用の磁気インク文字が印字された参照用媒体を参照用情報読取装置で読み取って得られた参照磁気波形を記憶する参照磁気波形記憶部と、この参照用媒体を読み取った際の実磁気波形を記憶する実磁気波形記憶部と、参照磁気波形と実磁気波形とを比較して得られる誤差に基づいて演算した補正値を、この情報読取装置固有の補正値として記憶する補正値記憶部と、実際の磁気インク文字が印字された印字媒体の読み取り時には、前記補正値を使用して、読み取った際の磁気波形を補正する補正処理部と、この補正処理部で補正処理した磁気波形に基づいて、媒体に印字された実際の磁気インク文字を解読する解読部とを備えたことを特徴とする情報読取装置が提供される。
【０００８】
本発明の情報読取装置においては、前記読み取った磁気波形を増幅する増幅部と、増幅された磁気波形をＡ／Ｄ変換するＡ／Ｄコンバータを備えていることを特徴とする。
【０００９】
本発明の情報読取装置においては、前記補正値は、複数回、参照用媒体を読み取って、決定したものであることを特徴とする。
【００１０】
本発明の情報読取装置においては、前記補正値は、参照用媒体を、３乃至５回繰り返し読み取って、決定したものであることを特徴とする。
【００１１】
本発明の情報読取装置においては、前記誤差は、読み取った磁気波形の時間軸方向のズレであることを特徴とする。
【００１２】
本発明の情報読取装置においては、前記Ａ／Ｄコンバータでは、前記読み取った磁気波形に表われる磁界の変動を１０ビットで表現した信号波形に変換することを特徴とする。
【００１３】
本発明の情報読取装置においては、前記誤差は、該情報読取装置の前記媒体搬送部に配設される搬送ローラの真円度のバラツキや駆動モータの１回転時の前記媒体の進行量のバラツキに伴って、前記参照用情報読取装置の前記媒体搬送部と比した遅延あるいは進み過ぎによるものであることを特徴とする。
【００１４】
また、本発明の別の一態様によれば、参照用の磁気インク文字が印字された参照用媒体を参照用情報読取装置で読み取って得られた参照磁気波形と前記参照用媒体を前記読取機構で読み取った際の実磁気波形とを比較して得られる誤差を、当該情報読取装置固有の補正値として記憶し、実際の磁気インク文字印字媒体の読み取り時には、前記補正値を使用して、前記読取機構で読み取った際の磁気波形を補正し、前記補正処理した磁気波形に基づいて、媒体に印字された実際の磁気インク文字を解読することを特徴とする情報読取装置の制御方法が提供される。
【００１５】
本発明の情報読取装置の制御方法においては、前記補正値は、複数回、参照用媒体を読み取って、決定することを特徴とする。
【発明の効果】
【００１６】
本発明によれば、個々の情報読取装置毎の搬送系の固体差を補正するので、磁気インク文字で印字された記録媒体に記録された磁気インク文字の読み取り精度の向上を実現できる。
【発明を実施するための最良の形態】
【００１７】
以下、本発明の実施形態について、図面を参照しながら説明する。尚、各図において同一箇所については同一の符号を付すとともに、重複した説明は省略する。
【００１８】
図１は、情報読取装置の主要動作部の構成の一例を示す図である。
【００１９】
この情報読取装置の主要動作部は、大略、搬送機構３、印字機構４、読取機構５を備えている。図1において、図面左端位置に挿入口６を有している。挿入口６を先頭にして、紙送り経路９上に紙送りローラ３１と、印字ヘッド４１と、押圧ローラ５１とがこの順で直線状に配設されている。
【００２０】
紙送り経路９を挟んで、紙送りローラ３１、印字ヘッド４１、押圧ローラ５１と対向する位置には、それぞれ紙送りローラ３２と、プラテン４２と、検出装置である磁気ヘッド５２とが配設されている。
【００２１】
搬送機構３は、紙送りローラ３１と紙送りローラ３２とによって構成されている。印字機構４は、印字ヘッド４１とプラテン４２とによって構成されている。読取機構５は、押圧ローラ５１と磁気ヘッド５２とによって構成されている。
【００２２】
紙送りローラ３１、３２と、押圧ローラ５１とは、上下動可能に構成され、押圧ローラ５１と磁気ヘッド５２、及びこれらから構成される紙送り経路９の一部分はユニット化することができる。
【００２３】
ユニット化した一例の側面図を図２に、平面図を図３に示す。押圧ローラ５１は、アーム２１の一端に取り付けられ、該アーム２１の他端はシャフト２８によってプランジャー２７に取り付けられている。該アーム２１の中心部は、シャフト２５によって揺動自在に支持されている。容器２６内に納められたソレノイドに通電されると、プランジャー２７が上下動し、押圧ローラ５１が磁気ヘッド５２と密着されたり離間されたりする。尚、容器２６内に収納するソレノイドとしては、周知の自己保持型ソレノイドを用いることができる。通電方向に応じてプランジャー２７が上方及び下方に駆動され、通電を停止した後は、通電を停止したときの位置でプランジャー２７が保持される。
【００２４】
ここでは、自己保持型のソレノイドが「吸着」状態にある場合に押圧ローラ５１が磁気ヘッド５２から離間され、「開放」状態にある場合に押圧されるように構成する。これにより、押圧状態におけるマグネットに起因する力の影響を小さいものとすることができ、押圧ローラ５１の押圧力は、押圧ばね５３の弾性力によって略所定の値に定まる。
【００２５】
次に、記録媒体情報検出の動作シーケンスについて説明する。初期状態では、紙送りローラ３１と紙送りローラ３２とは互いに離間して位置し、搬送機構３は開放状態に置かれている。また、押圧ローラ５１も磁気ヘッド５２から離されて開放状態に置かれている。例えば、情報読取装置がホストからのＭＩＣＲ文字の読取モード信号を受信すると、先ず、自己保持型ソレノイドに所定方向の通電を行い、プランジャー２７を下方に移動させる。これにより、押圧ローラ５１は上方に移動し、開放状態となる。この動作は過大な外力が作用することにより自己保持型ソレノイドの「吸着」状態が解除されてしまう場合にも確実に開放状態に設定できるように確認的に行われる。当該動作が終了すると、例えば動作ランプが点灯し、正常に使用が可能な状態であることが示される。尚、アーム２１の何れかの端部をフォトインタラプタ等の周知の検出器を用いて検出する構成とすることができ、「吸着」状態にあるか否かを検知することができるので、「吸着」状態にある場合には上記の動作を省略することができる。
【００２６】
このとき、印字機構４と読取機構５との間に設けられたフォームストッパー１４は、紙送り経路９を遮るように上部位置にスライドしており、小切手が挿入口６から挿入されると、その先端部分はフォームストッパー１４に当たって位置決めされる。
【００２７】
挿入口６と搬送機構３との間には、小切手の有無を検出する紙センサー１２が設けられている。同様に、印字機構４とフォームストッパー１４との間にも紙センサー１３が設けられている。紙センサー１２、１３が小切手が紙送り経路９内に挿入されたことを検出すると、紙送りローラ３１、３２によって小切手を挟持し、フォームストッパー１４を下部位置にスライドさせて紙送り経路９上から取り除く。紙送りローラ３１、３２及びフォームストッパー１４の開閉機構は、プランジャーやリンク機構等の周知の機構で構成することができる。このとき、ステッピングモータ３４を制御して、紙送りを行う制御回路（図示しない）に設けられた紙送り位置を示すカウンタをリセットする。尚、当該カウンタはステッピングモータ３４の回転方向及び回転量に応じて増減するように構成される。
【００２８】
次いで、ステッピングモータ３４により、伝達減速手段３３を介して紙送りローラ３１、３２を回転させ、小切手８を紙送り経路９の奥まで搬送し(往動)、小切手８を読取機構５内に搬入する。紙センサー１２が小切手８の終端、即ち挿入方向後端を検出すると、更にその小切手を所定量搬送し、小切手８が搬送機構３から外れないところに位置させる。次いで、紙送りローラ３１、３２の動作を停止させた後、アーム２１を移動させて押圧ローラ５１によって小切手を押圧し、磁気ヘッド５２に密着させる。アーム２１は、自己保持型ソレノイドによって動かされるので、小切手が磁気ヘッド５２に密着させられた後は、自己保持型ソレノイドへの通電を停止することができる。これにより、通電電流に混入する電源ノイズや他の電子デバイスから発生するスイッチングノイズ等に起因する磁気ノイズの発生を抑制することが可能となる。
【００２９】
小切手８は、磁気インクで所定事項が記載された面が磁気ヘッド５２と接触するように、その面を下に向けて挿入されている。
【００３０】
その状態から紙送りローラ３１，３２が逆回転すると、小切手８は挿入口６側に向けて搬送される(復動)。このとき、小切手８は押圧ローラ５１によって磁気ヘッド５２に押圧されているので、小切手８には適当な摩擦力が作用している。従って、紙送りローラ３１、３２による駆動力と当該摩擦力とに対応した引張力が小切手８に作用することとなり、小切手８に皺や折り目等がある場合にはそれらが伸ばされ、小切手８と磁気ヘッド５２とが密着しやすくなる。小切手８に作用する引張力を増大させるには、押圧ローラ５１に代えて小切手８との間に滑り摩擦力を発生するような摺動押圧部材を設けても良く、また、押圧ローラ５１の軸受部に粘性抵抗を発生させるダンパ等の周知の機械抵抗部材を設けても良い。これらの場合には、アーム２１の回動支点として作用するシャフト２５の位置は押圧ローラ５１より挿入口６に近い位置に設けられることが望ましい。押圧ローラ５１の軸受部の負荷により押圧ローラ５１の押圧力を増加させる方向の力がアーム２１に作用するからである。
【００３１】
この復動の際、当初は磁気ヘッド５２上を小切手８の磁気インクが印刷されていない空白エリアが密着移動されるので、磁気ヘッド５２による磁気検出を行うと、該記録媒体情報検出装置内外の磁気ノイズを測定することができる。
【００３２】
その磁気ノイズの信号レベルを記憶しながら、引き続き紙送りローラ３１、３２による小切手の搬送を行い、小切手８の磁気インクが印刷された領域が磁気ヘッド５２上を通過すると、磁気インクによる信号が検出される。尚、磁気ヘッド５２によって検出された信号は信号処理回路（図示しない）によってＡＤ変換された後、所定の周期で不図示の記憶装置に格納される。
【００３３】
この後、更に所定の速度で小切手８の搬送を行いながら磁気インクによる信号を記憶する。更に、磁気ヘッド５２により、小切手８の先端部分が磁気ヘッド５２上を通過した後の磁気ノイズをも検出し、上記の空白エリアにおける磁気ノイズレベルとの平均をとり、バックグラウンド信号レベルとする。これらの処理は、周知の信号処理装置によって行うことができる。尚、往動時に小切手８を小切手８の終端が搬送機構３から外れない位置まで搬送し、復動時に磁気インクの情報を読取るため、搬送ローラ３１、３２と読取機構５との間隔は、小切手８の終端から磁気インクの情報が書かれている位置までの間隔より短くなるよう構成するのが好適である。
【００３４】
そして、小切手８をエンドースメント印字開始位置まで搬送した後、自己保持型ソレノイドによって押圧ローラ５１を磁気ヘッド５２上から開放するとともに、磁気インクによる信号からバックグラウンド信号レベルを引き算して検出データを得る。この検出データを用いて周知の方法により磁気インク文字を解読し、ホスト装置に送信する。ホスト装置では、例えば当該磁気インク文字の内容を振出銀行等に照会して有効性を判断した後、その結果を情報読取装置に送信することができる。
【００３５】
図４に、磁気インク文字及びこれを読み取った場合に得られる信号波形の例を示す。左は数字の「３」であり、右は数字の「１」である。ＭＩＣＲ文字の仕様は磁気インク文字読取用字体仕様Ｅ１３Ｂ（ＪＩＳ Ｃ ６２５１）に規定されている。例えば、ギャップ長０．０７６ミリメートルの磁気ヘッドを４メートル毎秒程度の相対速度で図中の左端から右端に向かって矢印Ａ方向に走査することにより、図示する信号波形が得られる。ここで、ｐ１、ｐ２は波形中の極大点、ｍ１、ｍ２は波形中の極小点を示し、これらの時間軸上の位置等を用いて文字が認識される。従って、例えば読み取った信号波形が、上記仕様で許容されている範囲を超えて、極大、極小点の位置が移動した場合には、正確な文字認識が行えなくなる。
【００３６】
尚、図中、Ｓｗｐはベースラインからの正方向の振幅、Ｓｗｍは同じく負方向の振幅であり、これらから信号波形振幅が定義される。信号振幅としては、ＳｗｐとＳｗｍとの和に限定されるものではなく、Ｓｗｐ若しくはＳｗｍ、ＳｗｐとＳｗｍの内のどちらか大きいもの、またはそれらの平均値を信号振幅と定義してもよい。
【００３７】
ところで、個々の情報読取装置には、固体差がある。すなわち、磁気インクで印字された同一の小切手を読み取っても、上記した信号波形は全く同じには得られない。この要因の一つは、情報読取装置の備える搬送系のバラツキがある。例えば、搬送ローラの真円度、搬送用モータの１回転あたりの媒体の進行量、媒体の摩擦係数等が、個々の情報読取装置によって異なるからである。
【００３８】
情報読取装置の備える搬送系のバラツキがあると、同一の小切手を読み取っても、信号波形に時間軸方向にズレ（図４参照）が生じる。そのため、媒体の搬送が適切に行われないと、小切手に印字された情報を正しく解読できないこととなる。
【００３９】
そこで、本発明の実施形態に係る情報読取装置では、搬送系の固体差による解読エラーを解消するように、補正手段を組み込んでいる。以下に、磁気インク文字を読み取った後の補正手段を組み込んだ情報読取装置について説明する。図５は、本発明の実施形態に係る情報読取装置１００の一構成例を示すブロック図である。
【００４０】
この情報読取装置１００は、上記した媒体の搬送機構３や読取ヘッドを含む読取機構５といった主要動作部に加えて、増幅部１０、Ａ／Ｄコンバータ２０、磁気波形記憶部３０、補正処理部４０、解読部５０、補正値記憶部６０から構成されている。磁気波形記憶部３０は、例えば揮発性メモリ(ＲＡＭ）で構成することができる。また、補正値記憶部６０は、例えば不揮発性メモリ(ＥＥＰＲＯＭ）で構成することができる。読取機構５は、上記したように媒体の搬送機構３に近接して配設され、磁気ヘッド５２で印字媒体から磁気インク文字を読み取って、磁気波形情報を出力する。読取機構５からの磁気波形情報は、増幅部１０に送られ、磁気インク文字の解読を行い易くするために、増幅処理される。増幅処理された磁気波形情報は、Ａ／Ｄコンバータ２０に送られ、Ａ／Ｄ変換される。Ａ／Ｄコンバータ２０では、磁界の変動を例えば１０ビットで表現した信号波形に変換する。Ａ／Ｄ変換された磁気波形情報は、磁気波形記憶部３０に送られる。磁気波形記憶部３０に保存された磁気波形情報は、補正処理部４０に送られる。
【００４１】
ここで、図５に示す参照用情報読取装置２００について説明する。この参照用情報読取装置２００は、媒体の搬送系が適切に製造・管理された機種であって、規格に準拠した磁気インク文字が印字された標準的な媒体を搬送させて磁気インク文字を読み取った際に、規格に沿った磁気波形情報が出力されるものである。すなわち、参照用情報読取装置２００の基本的な構成については、個々の情報読取装置１００と変わるところは無い、と言っても支障がない。一方、個々の情報読取装置１００は固体差があり、同一の標準媒体を読み取っても、参照用情報読取装置２００で得られる磁気波形とは、差異が発生する。そこで、図５に示すように、比較・補正値演算部２１０で、参照用に使用する標準の磁気インク文字が印字された参照用媒体を参照用情報読取装置２００で読み取って得られた参照磁気波形と参照用媒体を当該情報読取装置１００で読み取った際の実磁気波形とを比較して得られる誤差から、当該情報読取装置用１００の補正値を演算する。この補正値は、上記した補正値記憶部６０に予め記憶させておくことになる。尚、より適切な補正値を得るために、当該情報読取装置１００での参照用媒体の読み取りは複数回、行うことが好適である。例えば、３乃至５回、参照用媒体の読み取りを行って、それらの読み取り結果から、補正値を決定する。この場合、読み取り毎に一時的に算出される補正値の算術的な平均値でもよく、中央値でもよい。
【００４２】
補正処理部４０では、磁気波形記憶部３０に保存された磁気波形情報に対して、補正値記憶部６０から受け取った個々の情報読取装置毎に固有の補正値に基づいて、補正処理を実行する。ここでの補正処理は、具体的には、磁気波形の時間軸方向のズレを解消させるものである。補正処理部４０で補正された磁気波形情報は、解読部５０に送られ、小切手等の印字媒体に磁気インクで印刷されていると思われる文字の解を算出する。
【００４３】
上記した、補正処理部４０での補正処理、解読部５０での文字解析は、それぞれ処理用のプログラムで構築することができ、また所定補正処理部及び解読部を一連のプログラムとして一体化させることもできる。この場合には、周知の固体メモリにインストールすることで、構成することができる。
【００４４】
次に、補正値記憶の手順について説明する。
【００４５】
図６は、本発明の実施形態に係る情報読取装置に搭載される補正処理用のプログラムの処理フローを示している。まず、参照用の標準媒体を読み取る（ステップＳ１）。この読み取りは、複数回、実行する（ステップＳ２）。次いで、参照磁気波形と、実磁気波形を比較する（ステップＳ３）。比較して得られる誤差に基づいて補正値を演算する（ステップＳ４）。得られた補正値は、補正値記憶部に記憶する（ステップＳ５）。
【００４６】
上記したように、解読された磁気インク文字は、情報読取装置１００から、不図示のホスト装置に送信することができる。ホスト装置では、例えば小切手に印字された当該磁気インク文字の内容を振出銀行等に照会して有効性を判断した後、その結果を情報読取装置に送信することができる。さらに、情報読取装置では、印字機構によって、当該小切手のエンドースメント処理を行うことができる。
【００４７】
本実施形態では、上記構成を採用することにより、情報読取装置個体毎の搬送誤差を考慮した磁気波形の取得ができ、この波形を使用して解析処理を行うため、情報読取装置個体毎の性能差を最小限に抑えることが可能となる。また、磁気波形解析処理時に情報読取装置個体毎の搬送精度差を考慮せずに済むことから、磁気インク文字で印字された記録媒体に記録された磁気インク文字の読み取り精度の向上を実現できる。
【００４８】
本発明は上記実施形態そのままに限定されるものではなく、実施段階ではその要旨を逸脱しない範囲で構成要素を変形して具体化できる。上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４９】
【図１】本発明の実施形態に係る情報読取装置の主要動作部の一構成例を示す図である。
【図２】情報読取装置の側面を説明するための図である。
【図３】情報読取装置の平面を説明するための図である。
【図４】磁気インク文字を読み取った場合に得られる信号波形の一例を示す図である。
【図５】本発明の実施形態に係る情報読取装置の一構成例を示すブロック図である。
【図６】本発明の実施形態に係る情報読取装置に搭載される処理プログラムのフローを示すフローチャートである。
【符号の説明】
【００５０】
１００・・・情報読取装置、２００・・・参照用情報読取装置、３・・・搬送機構、４・・・印字機構、５・・・読取機構、８・・・媒体、１０・・・増幅部、２０・・・Ａ／Ｄコンバータ、３０・・・磁気波形記憶部、４０・・・補正処理部、５０・・・解読部、６０・・・補正値記憶部。
【図１】
2010026644.tif 000003
【図２】
2010026644.tif 000004
【図３】
2010026644.tif 000005
【図４】
2010026644.tif 000006
【図５】
2010026644.tif 000007
【図６】
2010026644.tif 000008